Podtech/llm-jp-corpus-v4-ja_patent huggingface dataset:
(57)【要約】【課題】簡単安価なかっ力率改善の効果が大きなインバータ装置を提供する。【解決手段】誘導性負荷９０に属するインダクタ９２を備え、インダクタ９２の主巻線と磁気的に鎖交する補助巻線９２０を設ける。補助巻線９２０を整流電源１ＯＯ補助コンデンサ２０を含む閉回路中に挿入し、インダクタ９２の電磁エネルギ放出時に補助巻線９２０に形成される電流が整流電源１０を順方向に経由して補助コンデンサ２０を充電するように工夫する。【選択図】  図１
2004311373.tif 000002
【特許請求の範囲】
【請求項１】
交流電源（１１）電圧を整流する整流電源（１０）を備え、前記整流電源（１０）と並列に接続する補助コンデンサ（２０）を備え、前記補助コンデンサ（２０）の後段に接続するインバータ回路（１００）を備え、前記インバータ回路（１００）は少なくともひとつの平滑用のコンデンサ（８０）を含み、前記インバータ回路（１００）の高周波出力を受ける誘導性負荷（９０）を備え、前記誘導性負荷（９０）に属するインダクタ（９２）を備え、別記インダクタ（９２）の主巻線と磁気的に鎖交する補助巻線（９２０）を設け、前記補助巻線（９２０）を前記整流電源（１０）・補助コンデンサ（２０）を含む開回路中に挿入し、前記インダクタ（９２）の電磁エネルギ放出時に前記補助巻線（９２０）に形成される電流が前記整流電源（１０）を順方向に経由して前記補助コンデンサ（２０）を充電することを特徴とするインバータ装置。
【発明の詳細な説明】
【０００１】
【発明の属する技術分野】
本発明は交流電源電圧を整流する整流電源を備え、インバータ回路を備え、誘導性負荷を備えるインバータ装置に関するものである。
【０００２】
【従来の技術】
この種装置においては、整流電源の力率が悪い。そのための各種工夫もなされているが、コスト高であるが、あるいは力率改善の効果が不足することが多い。
【０００３】
【発明が解決しようとする課題】
本発明は簡単安価なかっ力率改善の効果が大きなインバータ装置を提供することを目的とする。
【０００４】
【課題を解決するための手段】
本発明においては、誘導性負荷に属するインダクタを備え、前記インダクタの主巻線と磁気的に鎖交する補助巻線を設け、前記補助巻線を整流電源６補助コンデンサを含む開回路中に挿入し、前記インダクタの電磁エネルギ放出時に前記補助巻線に形成される電流が前記整流電源を順方向に経由して前記補助コンデンサを充電するように工夫する。
【０００５】
【発明の実施の形態】
本発明の実施形態を図１を用いて説明する。図１のインバータ装置は交流電源１１電圧を整流する整流電源１０を備える。整流電源１０と並列に接続する補助コンデンサ２０を備える。補助コンデンサ２０の後段に接続するインバータ回路１００を備える。インバータ回路１００は少なくともひとつの平滑用のコンデンサ８０を含む。インバータ回路１００の高周波出力を受ける誘導性負荷９０を備える。誘導性負荷９０に属するインダクタ９２を備える。インダクタ９２の主巻線と磁気的に鎖交する補助巻線９２０を設ける。補助巻線９２０整流電源１０・補助コンデンサ２０を含む閉回路中に挿入する。それにより、インダクタ９２の電磁エネルギ放出時に補助巻線９２０に形成される電流が整流電源１０を順方向に経由して補助コンデンサ２０を充電するようにする。
説明を補足する。１２〜１５は整流電源１０に属する整流用ダイオードである。補助電源１０と並列に接続する補助コンデンサ２０を備える。補助コンデンサ２０の後段に接続するインバータ回路１００はハーフブリッジ形である。インバータ回路１００はアーム用のコンデンサ４０と順直列一対のスイッチング素子６１・６２を備える。各スイッチング素子６１・６２と逆並列のフライホイールダイオード７１・７２を備える。アーム用のコンデンサ８０を備える。コンデンサ８０は適度に大容量であって、平滑用コンデンサとしての役割を兼ねる。前記アーム用のコンデンサ４０をコンデンサ８０と上下対称となる位置に繋ぎ変えてもほぼ等価である。
図示の誘導性負荷９０は放電灯点灯回路である。９１は放電灯（蛍光ランプ）、９３はそれの予熱用コンデンサである。前記インダクタ９２はバラストインダクタとして機能する。補助巻線９２０は整流電源１０と直列であるか、補助コンデンサ２０と直列であるかの何れかである。図示は後者である。補助巻線９２０の電圧がその黒点をマイナスとする極性のときに、その電圧を整流電源１０電圧に足し増して、補助コンデンサ２０を充電する。このときに整流電源１０給電（整流電源１０からの出力）を促す。補助巻線９２０電圧がその黒点をプラスとする極性のときに、補助コンデンサ２０放電を促す。補助コンデンサ２０放電は次の充電に備え、ひいは次の整流電源１０給電に備える。誘導性負荷９０に属するインダクタ９２には高周波電流が流れ、高周波電圧を誘起する。とくにスイッチング素子６１または６２のターンオフ時におけるインダクタ９２電圧は大きく、補助巻線９２０電圧も大きくなる。その折に、前記補助巻線９２０動作が進行する。補助ダイオード３０はインダクタ９２の電磁エネルギ放出時（ただし黒点がマイナスとなる極性）における補助巻線９２０の下向き電流の一部がコンデンサ４０側を経由し、整流電源１０経由分が目減りするのを阻止する役割を負う。補助巻線９２０が整流電源１０と直列である場合は補助ダイオード３０は不要である。この場合は補助巻線９２０電圧が整流電源１０順方向と一致するときに評価され、整流電源１０給電を促進する。しかし、整流電源１０逆方向の電圧は無視され、整流電源１０空電に直接的にも間接的にも役立たないので、補助巻線９２０としての利用効率が悪い。いずれにしても、インダクタ９２の電磁エネルギを利用し、かつ補助巻線９２０を利用して整流電源１０を順方向に経由する電流を形成することができるので、整流電源１０の導通角が増し、十分な高力率を図ることができる。
【０００８】
【発明の効果】
本発明は、誘導性負荷に属するインダクタを備え、前記インダクタの主巻線と磁気的に鎖交する補助巻線を設け、前記補助巻線を整流電源り補助コンデンサを含む開回路中に挿入し、前記インダクタの電磁エネルギ放出時に前記補助巻線に形成される電流が前記整流電源を順方向に経由して前記補助コンデンサを充電することを主たる特徴事項とするものである。これによれば、誘導性負荷に属するインダクタの電磁エネルギないしは前記補助巻線を利用して整流電源を順方向に経由する電流を形成することができるので、力率を効率よく高めることができる。また、既存のインダクタを補助巻線を付加して利用する方式であるため、簡単安価である。
【図面の簡単な説明】
【図１】本発明装置を示す回路図である。
【符号の説明】
１０：整流電源
１１：交流電源
２０：補助コンデンサ
３０：補助ダイオード
４０：アーム用コンデンサ
６１：スイッチング素子
６２：スイッチング素子
７１：フライホイールダイオード
７２：フライホイールダイオード
８０：平滑用のコンデンサ（アーム用コンデンサ）
９０：誘導性負荷（放電灯点灯回路）
９１：放電灯
９２：インダクタ（バラスト用インダクタ）
９３：予熱用コンデンサ
１００：インバータ回路
９２０：補助巻線
【図１】
2004311373.tif 000003
(57)【要約】【課題】各板面より発生する光を有効に使用できる面形蛍光ランプ器具を提供する。【解決手段】外観が板状を呈しその両板面１１・１２から光が出る面形蛍光ランプ１０を備え、前記面形蛍光ランプ１０をその板面１１・１２がほぼ水平となるように天井面から吊り下げ、前記面形蛍光ランプ１０の上面１１側に上向きに出る光４２を下向きに転向させる反射板３０を配置し、前記反射板３０の光学特性を一部の光は該反射板３０を介して天井面側に透過するように定める。【選択図】    図１
2004311360.tif 000002
【特許請求の範囲】
【請求項１】
外観が板状を呈しその両板面から光が出る面形蛍光ランプを備え、前記面形蛍光ランプをその板面がほぼ水平となるように天井面から吊り下げ、前記面形蛍光ランプの上面側に上向きに出る光を下向きに転向させる反射板を配置し、前記反射板の光学特性を一部の光は該反射板を介して天井面側に透過するように定めたことを特徴とする面形蛍光ランプ器具。
【発明の詳細な説明】
【０００１】
【発明の属する技術分野】
本発明は蛍光ランプを使用する照明器具に関する。
【０００２】
【従来の技術】
従来の技術には外観が板状を呈しその両板面から光が出る面形蛍光ランプを使用した照明器具は無かった。
【０００３】
【発明が解決しようとする課題】
外観が板状を呈しその両板面から光が出る面形蛍光ランプでは、通常任意の被照射面に光を向けられるのは片方の板面から発生する光のみであり、もう一方の板面から発生する光を有効に使用する必要が有る。本発明はこれを解決する。
【０００４】
【課題を解決するための手段】
上記課題を解決するために、外観が板状を呈しその両板面から光が出る面形蛍光ランプの片板面（甲）から発生する光の一部をもう一方の片板面（乙）に反射し、かつ片板面（甲）側にも、任意の必要な光をのこす反射板を設定する。
【０００５】
【発明の実施の形態】
図１・２を用いて本発明の実施形態について説明する。外観が板状を呈しその両板面から光が出る面形蛍光ランプ１０を備え、前記面形蛍光ランプ１０を保持する器具本体２０を備え、前記面形蛍光ランプ１０をその板面がほぼ水平となるように天井面から吊り下げ、前記面形蛍光ランプ１０の上面１１側に上向きに出る光４２を下向きの光４１に転向させる反射板３０を配置し、前記面形蛍光ランプ１０の下面１２側に下向きに出る光４０と、前記面形蛍光ランプ１０の上面１１側に上向きに出る光４２を前記反射板３０対こより下向きの光に転向した前記下向きの光４１により、下面への光量を増加させ、前記反射板３０に設けられた光透過部３１を介して上向に出る光４２の一部を天井面側に透過させる。
【０００６】
【発明の効果】
外観が板状を呈しその両板面から光が出る面形蛍光ランプにおいて、通常任意の被照射面に光を向けられるのは片方の板面から発生する光のみであるが、もう一方の板面から発生する光の一部をもう一方へ反射させ、かつ一部の光は反射させずに使用することにより、各板面より発生する光を有効に使用できる。
【図面の簡単な説明】
【図１】本発明器具を示す傾斜図
【図２】その面形蛍光ランプを保持する器具を長手横方向からみた側面図
【符号の説明】
１０．．．面形蛍光ランプ
１１．．．面形蛍光ランプの上面
１２．．．面形蛍光ランプの下面
２０．．．器具本体
３０．．．反射板
３１．．．反射板の光透過部
４０．．．面形蛍光ランプの下面側に下向きに出る光
４１．．．面形蛍光ランプの上面側に上向きに出る光を反射板により下向きの光に転向した光
４２．．．面形蛍光ランプの上面側に上向きに出る光
【図１】
2004311360.tif 000003
【図２】
2004311360.tif 000004
(57)【要約】【課題】これまでは切歯間距離を開口度としてノギスや従来の開口度測定器を用いて測定していた。しかしこれでは上下前歯のそろっているものの開口度しか測定することができない。全ての人に応用でき、容易に、測定者自身で開口量を測定できる機器を提供する。【解決手段】切歯間距離と相関のある口腔外の部位、鼻尖から下顎底面までを測定する下顎位測定器を用いて、開閉口時の鼻尖に対する下顎の変位量を測定する。【選択図】  図２
2004329432.tif 000002
【特許請求の範囲】
【請求項１】
鼻尖に接する辺縁と、下顎底面に接する辺縁を有する構造物からなり、その辺縁を顔面に対して、正中矢状方向に軽く押し当て、鼻尖に接する構造物の位置を固定し、下顎底面に接する辺縁を含む構造物が、鼻尖に接する辺縁と下顎底面に接する辺縁とのなす角度を保ったまま、上下に移動し、閉口時から開口時までの移動量を測定することで、開閉口時の鼻尖に対する下顎の変位量を測定する下顎位測定器。
【請求項２】
請求項１記載の下顎位測定器において、鼻尖に接する辺縁と下顎底面に接する辺縁とのなす角度が４５度から９０度であることを特徴とする下顎位測定器。
【請求項３】
請求項１記載の下顎位測定器において、鼻尖に接する辺縁と下顎底面に接する辺縁とのなす角度が６０度から７５度であることを特徴とする下顎位測定器。
【請求項４】
請求項１記載の下顎位測定器において、鼻尖に接する辺縁と下顎底面に接する辺縁とのなす角度が６７．５度から７５度であることを特徴とする下顎位測定器。
【発明の詳細な説明】
【０００１】
【発明の属する技術分野】
本発明は、開閉口時の鼻尖に対する下顎の変位量の測定に関するものである。
【０００２】
【従来の技術】
これまでは、切歯間距離を開口度としてノギスや図１ａのような従来の開口度測定器を用いて測定していた。ノギスの場合はノギスの先端を上下顎中切歯切縁間に眼窩平面に直角に挿入し、目盛りを読んで開口度としていた。従来の開口度測定器の場合は上下顎中切歯切縁間に挿入し、両切縁が測定器の両辺上の同じ目盛りの位置にくるように調整し、目盛りを読んで開口度としていた（図１ｂ）。
（参考文献…清水正嗣；開口域の計測について、新歯潮、４（４）１２−１３、１９７０、清水正嗣；新しい開口域測定器、新歯潮、４（５）８−９、１９７０、塚原宏泰；日本人成人額関節健常者における最大開口量についての統計学的検討、日口外誌、４４（２）１５９−１６７、１９９８、本多洋之；最大開口域とその計測法に関する研究、歯学、７２（３）５４１−５７２、１９８４、村上有二；新たに考案した開口位測定器、北海道歯誌、１７、４１−４５、１９９６）
【０００３】
【発明が解決しようとする課題】
従来の測定方法では全患者に応用することができない。測定する部位が切歯間距離のため有歯顎患者の開口度は測定できるが、無歯顎患者や、前歯が上下で揃っていない人の開口度は測定できない。また測定法が面倒であり、測定される者自身で開口度を測定することが難しかった。  本発明が解決しようとする課題は、全患者に応用ができ、従来の測定法に比べて開口度を簡便に、また測定されるもの自身でも測定できる機器を提供することである。
【０００４】
【課題を解決するための手段】
本発明の発見者は、前記課題を解決するためには切歯間距離と相関のある他の測定部位を見つけるのがいいのではないかと考えた。そして実験を行った結果、本発明の完成に至った。
【０００５】
請求項１に係る下顎位測定器は、鼻尖に接する辺縁と、下顎底面に接する辺縁を有する構造物からなり、その辺縁を顔面に対して、正中矢状方向に軽く押し当て、鼻尖に接触する構造物の位置を固定し、下顎底面に接する辺縁を含む構造物が、鼻に接する辺縁と下顎底面に接する辺縁とのなす角度を保ったまま、上下に移動するものである。開口とともに下顎底面に接する辺縁を含む構造物がスライドして動く。閉口時から開口時までの下顎底面に接する辺縁を含む構造物の移動量を開閉口時の鼻尖に対する下顎の変位量とする。最大開口位で下顎位測定器を取り外してその移動量を読みとることで、測定される者自身が第三者の協力がなくても、容易に開口度を測定できるようになる。本装置の素材はアクリル板等のプラスチック、スチールやアルミ等の金属、厚紙、木材、発泡スチロール等で作ることができる。
【０００６】
請求項２に係る下顎位測定器は、鼻尖に接する辺縁と下顎底面に接する辺縁とのなす角度が４５度から９０度であることを特徴とするものである。これは、４５度以下になると、角度が小さすぎて測定したい部位に押し当てることができず、９０度以上になると、逆に角度が大きすぎて、下顎に当てても鼻尖に接触させることができなくなるからである。
【０００７】
請求項３に係る下顎位測定器は、鼻尖に接する辺縁と下顎底面に接する辺縁とのなす角度が６０度から７５度であることを特徴とするものである。これは、６０度から７５度という角度が、多くの者に適応できる角度であるからである。
【０００８】
請求項４に係る下顎位測定器は、鼻尖に接する辺縁と下顎底面に接する辺縁とのなす角度が６７．５度から７５度であることを特徴とするものである。これは、６７．５度から７５度が、最も多くの者を測定できる角度の範囲であるからである。
【０００９】
【発明実施の形態】
本発明の実施の形態を図１と図２に基づいて説明する。図１に示すように、本装置は鼻尖に接する辺縁を有する構造物１と、下顎底面に接する辺縁を有する構造物２から構成され、鼻尖に接する辺縁３、下顎底面に接する辺縁４を有する。鼻尖に接する辺縁を有する構造物と下顎底面に接する辺縁を有する構造物は、鼻尖に接する辺縁と下顎底面に接する辺縁のなす角５を保ったままスライドできる構造になっており、スライドした移動量を測定するために目盛り部６が付与されている。素材はアクリル板等のプラスチック、スチールやアルミ等の金属、厚紙、木材、発泡スチロール等で作成すればよい。
【００１０】
図２に示すように、本装置を顔面に対して正中矢状方向に軽く押し当て、鼻尖に接する部分を手等で固定して口を開けると、下顎に押されて下顎底面に接する辺縁４を有する構造物２がスライドするようになっている。自力でできる最大まで口を開けたときの目盛り６を読むことで、容易にその移動量を測定することができる。
【００１１】
２つの辺縁のなす角度５は４５度から９０度、好ましくは６０度から７５度、さらに好ましくは６７．５度から７５度にするとよい。
【００１２】
【発明の効果】
測定される者自身で、容易に開口量を測定することができる。
【図面の簡単な説明】
【図１】発明の実施の形態を示す平面図である。
【図２】発明の実施の形態を示す平面図である。
【符号の説明】
１．鼻尖に接する辺縁を含む構造物
２．下顎底面に接する辺縁を含む構造物
３．鼻尖に接する辺縁
４．下顎底面に接する辺縁
５．鼻尖に接する辺縁と下顎底面に接する辺縁のなす角度
６．鼻尖に接する辺縁を含む構造物に対する、下顎底面に接する辺縁を含む構造物の移動量を測定する目盛り部
【図１】
2004329432.tif 000003
【図２】
2004329432.tif 000004
(57)【要約】【課題】針を穿刺した後、針を動かすことなく翼状ツマミを皮膚に止着することができ、しかも従来品のように粘着テープを用意しておく煩わしさを解消することを課題とする。【解決手段】針の基部に弾性材からなる一対の翼状ツマミを常時はほぼ一平面上で左右に突出する状態に設けた構成において、上記一対の翼状ツマミの各下面にそれぞれ医薬用粘着剤を施し、上記一対の翼状ツマミの各粘着剤面に、剥離紙の一部を該翼状ツマミの突出端から基部に至る範囲に貼付し、ついで該剥離紙の残部を上記ツマミ基部から無貼付で折り返し、その先端部を上記ツマミ突出端から適宜長突出させて剥離用ツマミを形成した、点滴用翼状針。【選択図】        図１
2004329266.tif 000002
【特許請求の範囲】
【請求項１】
針の基部に弾性材からなる一対の翼状ツマミを常時はほぼ一平面上で左右に突出する状態に設けた構成において、
上記一対の翼状ツマミの各下面にそれぞれ医薬用粘着剤を施し、
上記一対の翼状ツマミの各粘着剤面に、剥離紙の一部を該翼状ツマミの突出端から基部に至る範囲に貼付し、ついで該剥離紙の残部を上記ツマミ基部から無貼付で折り返し、その先端部を上記ツマミ突出端から適宜長突出させて剥離用ツマミを形成した、
点滴用翼状針。
【発明の詳細な説明】
【０００１】
【発明の属する技術分野】
本発明は、医療において行われる点滴に使用される翼状針に関する。
【０００２】
【従来の技術】
元来、この種の翼状針として、図４に示すように針（ａ）の基部に、弾性合成樹脂製の一対の翼状ツマミ（ｂ）、（ｂ）を常時は一平面上で左右に突出する状態に設けた構造のもので、使用においては、上記一対の翼状ツマミを同図（イ）に仮想線で示すように、互に背合わせに立ち上げ、該背合わせツマミ（ｂ）、（ｂ）を指で把持して針（ａ）の穿刺を行い、ついで上記一対の翼状ツマミ（ｂ）、（ｂ）を一平面上に戻すと共に、同図（ロ）に示すように各翼状ツマミ（ｂ）、（ｂ）上に医療用粘着テープ（ｃ）、（ｃ）を貼って皮膚上に止着するものが知られている。
【０００３】
しかし、上記従来の翼状針では、穿刺後粘着テープにより一対の翼状ツマミを皮膚に止着する際、針がずれ動いて血管から外れることがしばしばあり、しかも穿刺前に粘着テープを予め用意しておかなければならない煩わしさがあった。
【０００４】
【発明が解決しようとする課題】
本発明は、穿刺した針を動かすことなく翼状ツマミを皮膚に止着でき、しかも粘着テープを用意する煩わしさを解消することを課題とする。
【０００５】
【課題を解決するための手段】
上記課題解決の手段として、本発明は、
針の基部に弾性材からなる一対の翼状ツマミを常時はほぼ一平面上で左右に突出する状態に設けた構成において、
上記一対の翼状ツマミの各下面にそれぞれ医薬用粘着剤を施し、
上記一対の翼状ツマミの各粘着剤面に、剥離紙の一部を該翼状ツマミの突出端から基部に至る範囲に貼付し、ついで該剥離紙の残部を上記ツマミ基部から無貼付で折り返し、その先端部を上記ツマミ突出端から適宜長突出させて剥離用ツマミを形成した、
点滴用翼状針を提案する。
以下図面を参照して本発明の実施例について詳述する。
【０００６】
【実施例】
図１、２において、針（１）の基部に被嵌されたハブ（２）に、合成樹脂製の一対の矩形板状弾性翼状ツマミ（３）、（３）を、常時はほぼ一平面上で左右に延長する状態に突設してあり、これら一対の翼状ツマミ（３）、（３）の下面に医薬用粘着剤（４）、（４）をそれぞれ塗布し、それら各粘着剤（４）、（４）面に、上記翼状ツマミ（３）、（３）と同幅で長い長方形の剥離紙（５）、（５）を、まず、その各一部（５ａ）、（５ａ）を該翼状ツマミ（３）、（３）の突出端から基部に至る範囲に貼付し、ついでその各残部（５ｂ）、（５ｂ）を上記ツマミ基部から折り返して無貼付状態でツマミ突出端がわへ延長し、該ツマミ突出端から残部（５ｂ）、（５ｂ）の先端部分を適宜長突出させて剥離用ツマミ（５ｃ）、（５ｃ）に形成してある。
【０００７】
使用においては、図３（イ）に示すように、一対の翼状ツマミ（３）、（３）を剥離紙（５）、（５）とともに上方へ立ち上げ、該立ち上げ部分を図示のように指で把持して針（１）を所定位置に穿刺する。
【０００８】
上記立ち上げ部分の把持を継続しつつ、次に同図（ロ）に示すように穿刺した針（１）を他方の指で押えて穿刺状態を保持し、その状態で、上記立ち上げ部分の把持を若干上方へずらして剥離紙（５）、（５）の剥離用ツマミ（５ｃ）、（５ｃ）に把持を替え、そして新たに把持した剥離用ツマミ（５ｃ）、（５ｃ）を上方へ引くと、剥離紙（５）、（５）全体がスムーズに翼状ツマミ（３、）（３）から剥離する。
【０００９】
上記剥離紙（５）、（５）を剥離すると、翼状ツマミ（３）、（３）が同図（ハ）に示すように、その弾性復元力により自動的に皮膚面上に平らに戻り、そこで翼状ツマミ（３）、（３）を上から軽く押圧して粘着剤（４）、（４）面を皮膚に貼付する。それにより針（１）は穿刺状態に保持される。
【００１０】
【発明の効果】
本発明の点滴用翼状針によれば、立ち上げた一対の翼状ツマミを剥離紙とともに把持して針の穿刺を行った後、剥離用ツマミに把持を替えて引くと剥離紙をスムーズに剥離することができると共に、翼状ツマミを弾性復元力によりその粘着剤面を皮膚に接した平面状態に自動的に変位させることができ、後は平面状態の翼状ツマミを押圧するだけで皮膚に確実に貼付することができ、従って従来みられた穿刺した針が血管から外れる危険及び粘着テープを別途用意しておく煩わしさを解消することができるのである。
【図面の簡単な説明】
【図１】本発明による点滴用翼状針の裏面から見た斜面図である。
【図２】図１のＩＩ−ＩＩ線拡大断面図である。
【図３】使用状態の説明図で、
（イ）翼状ツマミを把持した状態の正面図である。
（ロ）穿刺後剥離用ツマミの把持に替えた状態の斜面図である。
（ハ）翼状ツマミを平面状態に戻した状態の斜面図であ。。
【図４】（イ）従来品の斜面図である。
（ロ）同上穿刺後翼状ツマミを粘着テープで止着した状態の斜面図である。
【符号の説明】
１  針
３  翼状ツマミ
４  医療用粘着剤
５  剥離紙
５ａ  剥離紙の一部
５ｂ  剥離紙の残部
５ｃ  剥離紙の剥離用ツマミ
【図１】
2004329266.tif 000003
【図２】
2004329266.tif 000004
【図３】
2004329266.tif 000005
【図４】
2004329266.tif 000006
(57)【要約】【課題】すべり易く、すぐ小さくなってしまう固形石鹸を無駄なく最後まで使いたいが、従来の網袋状の固形石鹸入れは、網袋の中で石鹸が動いてしまい使い勝手が悪い。【解決手段】横方向に伸縮性の強いポリエチレン素材等のネットで固形石鹸入れを作る事によって、ネットが常に中の石鹸に添って縮もうとする為、石鹸がネットの中で動かないし石鹸同士が簡単に一体化する為、小さくなった石鹸も最後まで使えて経済的である。加えて、ネット自体を絞り固定する止め具があることにより、石鹸のサイズの変化に合わせて、縦方向にも確実に中身が固定されるので、使い勝手が良い固形石鹸用ネット袋である。【選択図】  図２
2004329259.tif 000002
【特許請求の範囲】
【請求項１】
横方向に伸縮性の強いポリエチレン素材等のネットで作った固形石鹸用ネット袋である。
【請求項２】
ネット自体を中の石鹸に併せて絞り固定する止め具が付いている。
【発明の詳細な説明】
【０００１】
【発明が属する技術分野】
本発明は、横方向に伸縮性の強いポリエチレン素材等のネットを使用して固形石鹸入れを作る事によって、ネットが常に中の石鹸に添って縮もうとする為、石鹸同士が簡単に一体化し、しかもネットの中で石鹸が動かない。従って、小さくなった石鹸も無駄なく最後まで使え経済的である。加えて、ネット自体を絞り、任意の所で簡単に固定できる止め具があることによりネットの大きさが自由に変えられる。その為、石鹸のサイズの変化に合わせてネットを絞り、確実に中身が固定出来るので使い勝手がきわめて良い。しかも、止め具を外す事も止める事も簡単に出来るので石鹸を補充する時に手間がかからない。素材のネットは使用感触が柔らかいにも関わらず丈夫であり且つ、非常に安価である。又、ネット袋に紐と簡単な止め具だけのシンプルな構造であり製造コストも安い。
【０００２】
【従来の技術】
固形石鹸を入れるネット状の網袋は出願もされているし、市販もされているがネット自体には強い伸縮性が無いものが多く、網袋の方が中の石鹸よりもサイズが大きいので袋の中で石鹸が動いてしまい使い勝手がわるい。そして、網袋の口を絞っている紐の先に吸盤を付けてどこかに固定するか、そのままどこかに引っ掛けて、使用する時は網袋を引っ張りながら使うようになっている物が大半である。例えば：［実用新案文献１参照］「石けん入れ」は伸縮性のあるネットで石鹸入れを作っており、水切りがよく石鹸を最後まで無駄なく使うという目的は同じであるが、形態が全く異なる。［実用新案文献２参照］「ネットに入れて吊るす石けん入れ」は、水切りがよく石鹸を無駄なく使うという目的は同じであるが、ネット自体に強い伸縮性は無い。［実用新案文献３参照］「石鹸袋」は、袋自体を絞る発想は同じであるが、絞りに使う環状のリングはネットに通す時に手間がかかるし、ネットを絞るが固定はしない。［実用新案文献４参照］「手洗用石鹸袋」は、水切りがよく石鹸を無駄なく使うという目的は同じであるが、袋の横に石鹸の補充口が設けてあり形態が異なる。［特許文献１参照］「固形洗浄物用網袋」は、ネット状の袋に紐が付いているという形態は似ているが、これは袋が伸縮するのではなくて、紐が伸長することで手洗いを容易にするのが目的である。［特許文献２参照］「多重ネット袋」は、袋に紐が付いているという形態は似ているが、ネット袋を三重にすることで、石鹸の泡立ちをよくするのが目的である。［特許文献３参照］「固形石鹸収納用袋体」も、形態は似ているが、細孔を有する内袋と外袋の二重構造にして、石鹸の泡立ちを良くするのが目的である。［特許文献４参照］「伸縮ネット入り固形石鹸」は、上記の目的を総合的に研究し網羅したような特許である。即ち、滑りやすい石鹸を滑りづらくし、小さくなってもハンドリングし易いように、石鹸の大きさの変化に応じて袋全体が伸縮する素材を使用しているが、最初から石鹸がネット袋で包まれ、両端が縛られているか溶着されている構造であり、石鹸を使い切るとネットも使い捨てになり不経済であり環境にもよくない。加えて縦横全体が伸縮するネットは製造に高い技術が必要と思われる。
【０００３】
【実用新案文献１】実開平０７−０３６８８２  「石けん入れ」
【実用新案文献２】実全昭６３−０７７５８８  「ネットに入れて吊るす石けん入れ」
【実用新案文献３】実全昭５９−０９３２９２  「石鹸袋」
【実用新案文献４】実全昭５７−１８２３９４  「手洗用石鹸袋」
【特許文献１】特開２００２−１３６４４３「固形洗浄物用網袋」
【特許文献２】特開２００１−０９５７１６「多重ネット袋」
【特許文献３】特開２０００−００５０９１「固形石鹸収納用袋体」
【特許文献４】特開平１０−１３７１５２「伸縮ネット入り固形石鹸」
【発明が解決しようとする課題】
網状の袋の口を紐で絞る固形石鹸入れは、シンプルさ故に日常生活で手軽に使えるが、従来の構造だと、ネットの中に「遊び」空間があり過ぎて石鹸が動いてしまう上に、石鹸同士なかなか一体化しないので紐をどこかに固定して引っ張りながら使わないと使い勝手が悪い。
【０００４】
【課題を解決するための手段】
本発明は、非常に安価な素材を使い、又、従来品と同じ程シンプルな構造でありながら、横方向に伸縮性の強いポリエチレン素材等のネットを使うことによって、ネットが常に中の石鹸に添って縮もうとする為、石鹸がネットの中で動かないし石鹸同士が簡単に一体化する。加えて、ネット自体を中の石鹸に合わせて絞り、簡単に固定できる止め具があることにより石鹸のサイズの変化に合わせてネットを絞り、確実に中身を固定出来るので使い勝手がきわめて良い。しかも、止め具を外す事も止める事も簡単に出来るので石鹸を補充する時に手間がかからない。又、水切りに便利な紐は付いているが、使用する時は特にどこかに引っ掛けて引っ張りながら使うという必要はなく通常の使い方で良い。又、石鹸がネットで覆われていることによって、そのまま使うよりも滑りにくいし、泡立ちも良い。
【０００５】
【実施例】
図６は、固形石鹸用ネット袋に入れた石鹸を実際に使う時の使用実施例である。
【０００６】
【発明の効果】
非常に安価な素材を使い、非常にシンプルな構造のネット袋ではあるが、強い伸縮性と止め具がある事により、石鹸がネット袋の中で動かないので使い勝手が良い上に、石鹸同士が簡単に一体化するので石鹸のかけらも最後まで無駄なく使え経済的である。又、石鹸がネットで覆われていることによって、滑りにくいし、泡立ちも良い。
【図面の簡単な説明】
【図１】固形石鹸用ネット袋の何も入れていない状態での正面図である。
【図２】固形石鹸用ネット袋の石鹸を入れた状態での正面図である。
【図３】固形石鹸用ネット袋の石鹸が小さくなった状態での正面図である。
【図４】固形石鹸用ネット袋の石鹸が小さくなった状態での背面図である。
【図５】固形石鹸用ネット袋の石鹸を補充する場合の正面図である。
【図６】固形石鹸用ネット袋の石鹸を使用している図である。
【符号の説明】
１．固形石鹸用ネット袋の本体
２．固形石鹸用ネット袋の紐
３．固形石鹸用ネット袋の止め具
４．固形石鹸
【図１】
2004329259.tif 000003
【図２】
2004329259.tif 000004
【図３】
2004329259.tif 000005
【図４】
2004329259.tif 000006
【図５】
2004329259.tif 000007
【図６】
2004329259.tif 000008
(57)【要約】【課題】テニス愛好家が仲間と試合を楽しむ時に、特別な用具を使うことなく、ゲーム中のポイントを間違えたり忘れたりしない様に神経を使う事から解放する。【解決手段】本発明は、スポーツをする時なら誰でも気軽に使用するリストバンドに、テニスのゲーム時に必要なポイント（０，１５，３０，４０）の数字模様を入れ、得点するごとに手首の周りで少し回転させることにより、現在のポイントを記憶・確認できるようにした、実用的でお洒落なリストバンドである。【選択図】  図２
2004329258.tif 000002
【特許請求の範囲】
【請求項１】
数字の模様を入れることにより、テニスの試合時におけるゲーム中のポイントを手軽に記憶・確認できるようにしたリストバンド。
【発明の詳細な説明】
【０００１】
【発明が属する技術分野】
本発明は、テニス愛好家が仲間とテニスの試合を楽しむ時に、ゲーム中のポイントを間違えたり忘れたりしない様に、スポーツをする時なら誰でも気軽に使用するリストバンドに、ゲームのポイントとして必要な数字の模様を入れ、得点するごとに手首の周りで少し回転させることによって、手軽に得点を記憶・確認できるようにしたリストバンドである。
【０００２】
【従来の技術】
テニス愛好家が試合を楽しむ時、ゲーム中の得点を記憶する必要があるが、従来は、プレイしている者の頭の中で記憶しているしかなかった。又、審判役がいる場合も、審判の頭の中で記憶しているか、指を折って記憶していた。
【０００３】
【発明が解決しようとする課題】
頭の中で記憶したり、指を折って記憶できたら良いが、ゲームでエキサイティングしたり、微妙な判定でポイントが逆転したりして複雑になった場合、つい途中で混乱してしまうことがよく起こるので、間違えたり忘れないようにしょうと神経を使っている。
【０００４】
【課題を解決するための手段】
そこで、スポーツをする時なら誰でも気軽に使用するリストバンドに、テニスのゲーム時に必要なポイントの数字（０，１５，３０，４０）を模様として入れ、得点する毎にリストバンドを手首の周りで少し回転させ、現在のポイントを自分に見えるようにしておけば、間違うことや忘れることに神経を使うことから解放される。これを解決する為の、過去の類似の特許・実用新案・意匠の出願は全く見当たらない。市販されているリストバンドで数字の模様が施されている物もあるが、ファッション性が目的であって（例えば、ひいきの野球選手の背番号と同じ番号をデザインしたリストバンドを身に付けるとか）、数字自体に機能性を持たせたものは見当たらない。
【０００５】
【実施例】
図４は、ゲーム時のポイント記憶・確認用具としてスコアーリストバンドを実際に使用している実施例である。
【０００６】
【発明の効果】
スポーツをする時なら誰でも気軽に使用するリストバンドに、テニスのゲーム時に必要なポイントの数字（０，１５，３０，４０）を模様として入れておくと、本来の汗拭きやファッション目的としての使用だけでなく、ゲーム中のポイント記憶・確認用具として使えるので一石三鳥であり、リストバンドの有効活用になる。
【図面の簡単な説明】
【図１】リストバンドを広げた図である。
【図２】リストバンドの正面図である。
【図３】リストバンドの背面図である。
【図４】リストバンドの使用実施例である。
【符号の説明】
１．リストバンドの本体
２．数字の模様
【図１】
2004329258.tif 000003
【図２】
2004329258.tif 000004
【図３】
2004329258.tif 000005
【図４】
2004329258.tif 000006
(57)【要約】【課題】テニス愛好家が仲間と試合を楽しむ時に、特別な用具を使うことなく、ゲームカウントやセットカウントを間違えたり、忘れたりしない様にする。【解決手段】スポーツをする時なら誰もが持っているタオルにテニスの試合に必要な数字の模様を入れ、数字が見えるように折りたたむことによって、遊び感覚で手軽に得点を記録・表示できるようにした、お洒落で実用的なタオルである。【選択図】  図４
2004329257.tif 000002
【特許請求の範囲】
【請求項１】
数字の模様を入れることにより、テニス試合中のゲームカウントやセットカウントを記録・表示できるようにしたタオル。
【発明の詳細な説明】
【０００１】
【発明が属する技術分野】
本発明は、テニス愛好家が仲間とテニスの試合を楽しむ時に、ゲームカウントやセットカウントを間違えたり忘れたりしない様に、スポーツをする時なら誰でも持っているタオルに数字の模様を入れ、試合中の得点をタオルを折りたたむことで表面に配し、遊び感覚で得点を記録・表示できるようにしたタオルである。
【０００２】
【従来の技術】
テニス愛好家が試合を楽しむ時、得点の記憶をする必要があるが、メモや筆記具を持ち出すことはまず無いし、スコアーボードもない事のほうが多いので、一般的にはコート脇のどこかに場所を作り、テニスボールを使って得点する毎に双方の側にボールを加えていってボールの数で得点を記録している。あるいは、指を折って記憶したり、全くの頭の中で記憶している。
【０００３】
【発明が解決しようとする課題】
指を折って記憶したり、頭の中で記憶できたら良いが、試合時間が長くなったり、エキサイティングであった場合、つい途中で混乱することがよく起こる。また、ボールを使って得点を記録していても、同じ色のボールを使用している事が多いのでやはり混乱するし、ボールは丸いので転がって混合してしまうことがよく起こる。まして、審判台の上で審判をする場合、ボールを置くスペースも狭いし転がり落ちやすい。かといって、記録するものが何も無いと、間違えたり忘れないようにしょうと神経を使う。
【０００４】
【課題を解決するための手段】
そこで、スポーツをする時なら誰もが持っているタオルに、テニスの試合で必要とされる数字を模様として入れ、得点するごとにタオルを折り、現得点の数字を見えるようにしておけば、間違うことも忘れることも防ぐことが出来る。
これを解決する為の、過去の類似品は全く見当たらないが、得てしてあげると［特許文献１参照］「子供用浴用タオル」は、タオルに数字が描かれている点は共通するが、子供の教育用として使用する時計文字盤の数字である。又、［実用新案文献１参照］「タオルカレンダー」と、［実用新案文献２参照］は、タオルに数字が描かれている点は共通しているが、暦の表示を目的としたカレンダー用の数字である。
【特許文献１】特開平１０−０９９２３３「子供用浴用タオル」
【実用新案文献１】実開全昭５４−１２８５５２「タオルカレンダー」
【実用新案文献２】実公昭３９−００１４４０号公報
【実施例】
図４は、試合中の両チームの現在の得点をテニススコアータオルを使用して表示している実施例である。
【０００５】
【発明の効果】
スポーツをする時なら誰もが持っているタオルに数字を模様として入れると、本来の汗拭きを目的とした使用だけでなく、試合時には得点記録・表示用具としても使えるので一石二鳥でありタオルの有効活用ができる。
【図面の簡単な説明】
【図１】タオルをひろげた正面図である。
【図２】タオルをひろげた正面図である。
【図３】タオルをケースに入れた平面図である。
【図４】タオルをケースに入れた斜面図である。
【図５】タオルを入れたケースを二つ折りにした斜面図である。
【符号の説明】
１．タオル本体
２．ケース
３．ケースの取っ手
【図１】
2004329257.tif 000003
【図２】
2004329257.tif 000004
【図３】
2004329257.tif 000005
【図４】
2004329257.tif 000006
【図５】
2004329257.tif 000007
(57)【要約】      （修正有）【課題】スリッパを履くことによりフローリング、畳、ビニール床等に溜まるハウスダクト、髪の毛、ペットの毛等を自然に清掃でき、突然発見したホコリも即除去でき、床に染み付いた汚れも拭取ることが可能であり、使用時ずれたり、外れたりせず着脱は手を汚さず簡単にできる、スリッパ底部に取り付けるホコリ取りシートを得る。【解決手段】ホコリ取シートの露出度を最小限にする為スリッパ本体１底部の側面全周に、深さ２ｍｍ以上の溝４を設ける。そこへ伸縮材部５を嵌め込んで固定し使用する。様々なホコリが摂取出来る様、ホコリ取シート２は細かな繊維で網目状になっており、スリッパ本体１の裏面形状は１ｍｍ程の凹凸になっている。ホコリ取シートは紐３を引っ張ることで、手を汚さず簡単に外す事ができる。【選択図】図３
2004329830.tif 000002
【特許請求の範囲】
【請求項１】
スリッパの底部の側面全周に２ｍｍ以上の溝が設けてあり、（図２−タイプＸ，タイプＹ参照）ホコリ取シートの図３−▲５▼伸縮材部をその溝部全周へ嵌め込ませた状態で使用。
【請求項２】
スリッパは男性用、女性用、子供用にサイズがあり、それに伴い、ホコリ取シートも３サイズある。これらの外観はスリッパその物であり、客観的に違和感のないものである。
【請求項３】
ホコリ取シートの材料は細かな繊維で網目状になっており、その端部全周は伸縮材が加工されている。伸縮材はズレたり、外れたりしない様ガッチリ、スリッパの溝にはまり、寸法は３サイズあるが、何れもホコリ取シートがスリッパの裏面にぴったりフィットする状態である。
【請求項４】
スリッパ本体の裏面は図４の様な模様で、１ｍｍ程の凹凸になっている。
【請求項５】
ホコリ取シートの伸縮材部の１ヶ所に着脱用の図３−▲３▼紐が１ｃｍ程の長さで付いてある。
【発明の詳細な説明】
【０００１】
【発明の属する技術分野】建物内のフローリング、畳、ビニール床に溜まった、ハウスダクト、髪の毛、ペットの毛等、細かなホコリを、除去し清潔にする為の清掃器具である。
【０００２】
【従来の技術】従来のスリッパによる清掃具は、接着剤や両面テープを使用し不織布の着脱を行う形式や、外観的にスリッパ形状とことなるモップ形式や、不織布に伸縮材を加工し任意のスリッパに被せるといった技術があった。
【０００３】
【特許文献】
１  特開２００１−２５４５４
２  特開平９−３２２８０１
３  特開平１０−１５１１００
４  特開平１０−３１４０９７
５  特開平９−３８０１０
６  特開平１０−７１００１
【０００４】
【発明が解決しようとする課題】家族やお客様等が常に履くスリッパとして外観はスッキリした普通のスリッパであり、使用時、ホコリ取シートがずれたり、外れたりせず、日常違和感なく使用できる。
ホコリ取シートの着脱は手を汚すことなく簡単に出来る。
【０００５】
【課題を解決するための手段】スリッパの底部側面全周に２ｍｍ以上の▲４▼溝を図２のタイプＸ，タイプＹの形状の様に設け、▲２▼ホコリ取シートの▲５▼伸縮材部を、その溝全周に嵌め込んで固定した状態で使用する。
この状態の時のスリッパ裏面のホコリ取シートはピッタリ平面状に装着された状態である。図３−▲２▼のホコリ取シートは図３−▲５▼伸縮材が全周に加工されている。ホコリ取シートは、ホコリを摂取しやすい様、細かな繊維で網目状になっている。尚且つホコリを摂取しやすい様、▲１▼スリッパ本体の裏面は図４の様に１ｍｍ程の凹凸模様になっている。
着脱用の▲３▼紐は、▲５▼伸縮材の１ヶ所に、長さ約１ｃｍの紐が加工してある。
【０００６】
【発明の実施の形態】発明の名称通り、スリッパとホコリ取シートを合体させた製品である。その構造は図１−▲１▼スリッパ底部の側面全周に１ｍｍ以上の隙間で、深さ約２ｍｍ以上の図２−▲４▼溝が設けてあり、図３−▲２▼ホコリ取シート端部全周に加工された図３−▲５▼伸縮材を、その▲４▼溝全周に嵌め込んで取付け、普通のスリッパとして使用する。
【０００７】
スリッパ底部の側面形状は図２の様に、タイプＸと、タイプＹの二種類がある。タイプＸは上記説明通り図２−▲４▼溝の中に伸縮材が収まり、より普通のスリッパに近い外観になっている。タイプＹは溝が無い分、ホコリ取シートが露出するが、▲１▼スリッパの形状はシンプルである。
【０００８】
古くなったホコリ取シートの取替えは、図１−▲３▼紐を引っ張ることによりスリッパ本体から簡単に外れ、手を汚さずゴミ箱へ捨てられる。
【０００９】
▲１▼スリッパ本体の底面の形状は、図４の様に１ｍｍ程の凹凸があり出来るだけ様々なゴミを摂取できる様な形状に工夫してある。凹凸は図４の形状に限らず様々であり、凹凸無しで底面がフラットの物もある。
【００１０】
【発明の効果】
外観は普通のスリッパと略同等であり、日常、違和感無く使用でき、突然、発見したホコリや髪の毛等も、その場で即除去できる。
このスリッパを履き続けることにより、床に溜まるハウスダクト等の細かなホコリを摂取するだけでなく、フローリング、畳、ビニール床等に染み付いた様々な汚れを拭取ることが出来る。そして、裏面のホコリ取シートに付着した日常のホコリを常に確認でき、清潔、清掃意識感が向上できる。
【図面の簡単な説明】
【図１】本発明の側面図
【図２】Ａ部拡大図
【図３】スリッパとホコリ取シート、各単品斜視図
【図４】スリッパ本体の背面図
【符号の説明】
▲１▼  スリッパ本体
▲２▼  ホコリ取シート
▲３▼  紐
▲４▼  溝
▲５▼  伸縮材
【図１】
2004329830.tif 000003
【図２】
2004329830.tif 000004
【図３】
2004329830.tif 000005
【図４】
2004329830.tif 000006
(57)【要約】【目的】使用者の意識的負荷移動により、樹脂球の異質移動を発生させ、より指圧に近い感覚を足裏に伝える事を目的とする。【構成】底板部に、突起配植部分を除いた全面に、一層の超軟質樹脂を敷き詰め、足裏接触部分に硬質樹脂球を配置し、それを二層目の超軟質樹脂で覆う。【選択図】  図１
2004329829.tif 000002
【特許請求の範囲】
【請求項１】
二層の超軟質樹脂の間に、指圧用硬質樹脂球を配置し、異質動作で足裏に刺激を施す用具。
【請求項２】
超軟質樹脂の特性の流動性と、硬質球の不確定動作を応用した、足裏健康器。
【発明の詳細な説明】
本発明は、二層の超軟質樹脂の間に、硬質の樹脂球を配置する事により、上部からの負荷に対し樹脂球は、加圧率の少ない方向へ移動しようとする特性を応用する事により、使用者の意識的負荷移動で樹脂球の移動を制御し、使用者の足裏全体の指圧的効果を促進する健康器である。
また、爪先部指間にも同様に小型樹脂球を配置する事により、指間を広げ指圧とは、違った爽快感を促すことを可能にした、今までに例の無い全く新しい感覚の足裏健康器です。
【図面の簡単な説明】
【図１】本体断面図
【図２】本体平面図及び樹脂球配置図
【符号の説明】
▲１▼  硬質樹脂球
▲２▼  硬質樹脂突起
▲３▼  超軟質樹脂
▲４▼  硬質樹脂製底板
【図１】
2004329829.tif 000003
【図２】
2004329829.tif 000004
(57)【要約】【課題】ターゲットゲームで有るゴルフは、今までも色々な方法にてターゲットラインを決めて、正しく打つための練習用具はあったが、大掛かりなセット方法や持ち運びにも適さない不便なものが多く、なかなか使う気にならなかった。【解決の手段】ターゲットラインを示すための棒状の器具をヘッドカバーに取り付ける事により、持ち運びに便利となる。さらにヘッドカバーをクラブに付けたまま、ヘッドカバーに付いている棒状の器具をターゲットライン上に合わせ地面に置き、グリップしたままクラブを抜き差し出来るように脱着も簡単にし、ヘッドカバーに付いた棒状の器具にそってクラブを振れば正しくアドレス出来、正しい方向に真っ直ぐボールを打つ事が出来る。と言ったコンパクトで手間のかからない練習器具付きヘッドカバーである。【選択図】図１
2004329823.tif 000002
【特許請求の範囲】
【請求項１】
ヘッドカバーにターゲットラインが明確になるような棒状のような器具が付いている。それはヘッドカバーに収納出来るコンパクトな物である。
【請求項２】
さらにヘッドカバーは、クラブに付いた状態で、グリップを握ったままヘッドを地面に置き、抜き差しが出来るよう工夫し、簡単に脱着が出来るようにした方向指示具付きヘッドカバーで有る。
【発明の詳細な説明】
【０００１】
【発明の属する技術分野】
本発明は、ゴルフの練習用具付きヘッドカバーに関する。
【０００２】
【従来の技術】
従来もターゲットライン及びクラブを振る方向を指示するための矯正器具はあった。
【０００３】
【特許文献１】
特開平４−２４１８８６号
【０００４】
【発明が解決しようとする課題】
従来の技術では、設置方法が面倒で有ったり、持ち運びに不便であった。
【０００５】
【課題を解決するための手段】
本発明は持ち運びに便利にする為に、ヘッドカバーと方向指示具を１つにした。方向指示具はがさばら無いようヘッドカバーに収納出来る。ヘッドカバーの脱着は、クラブを握ったままでヘッドカバーに付いている方向指示具を、ターゲットラインを合わせ地面に置き、クラブをターゲット方向に対し引けば抜けるよう、又差す事もできるので、体を使って足ったりしゃがんだりしなくていいので、手軽に使用できる。
【０００６】
【発明の実施の形態】
本体は、ヘッド部分とネック（一部シャフト）をヘッドカバーとしてカバーするようになっている。ヘッド側を下に、ネック側を上にして地面に置いた時、ぐらつかないで安定している。本体の側面のネック上部より、ワンタッチで開閉出来る方向指示具を開いてターゲットライン上のボールの上に合わせて置き、クラブをターゲットと逆に引くと簡単にクラブは本体から抜ける。この方向指示具に対しスクエアに立ち、スイングすれば、正しいスイングが出来る。
打ち終わったら、本体にクラブヘッドを差し込むことで、脱着が簡単である。
【０００７】
【実施例】
以下、本発明の実施例を図１〜図４に基ずいて説明する。
図３のようにクラブに本体を付けたクラブを地面に置き、抜き差しを容易にしている。本体はクラブに付いた状態で、図２のように方向指示具は、収納してある状態になっている。これを使用する時は、ワンタッチで図１のようになる。図１のａの部分をターゲットライン上のボールの上に合わせて置く。図３のｃのように後ろに引くと簡単に抜け、図４の状態になったらターゲットライン方向に正しく構えられ、真っ直ぐに打つことができる。打ち終わったら、図３のｄの様に本体にクラブヘッドを差し込むと言ういたって簡単な作業なので練習もしやすく又、本体を色々なデザインにすることでヘッドカバーのみの使用でも十分活用できる。そして、ヘッドカバーとして使用する時は、図４のｂの部分がマジックテープや、ファスナー、ボタン、フックなどで、止める事によりクラブが抜けなく。
【０００８】
【発明の効果】
練習するのに手間がかからず気軽で普段はヘッドカバーとして使えて邪魔にならないから、本発明を使用回数が増えることで方向性や真っ直ぐに打つ感覚が身に付く。
【図面の簡単な説明】
【図１】本発明の実施形態を示す断面図
【図２】方向指示棒を収納した断面図
【図３】本体をクラブから脱着する方法
【図４】方向指示棒をターゲットに合わせた
【符号の説明】
ａ  方向指示棒
ｂ  マジックテープ
ｃ  本体からクラブを抜いている状態
ｄ  本体にクラブを差している
【図１】
2004329823.tif 000003
【図２】
2004329823.tif 000004
【図３】
2004329823.tif 000005
【図４】
2004329823.tif 000006
(57)【要約】      （修正有）【課題】風の強い日でもハンガーが動いて、重なり合い乾きの悪い洗濯物が出来ず、ハンガーが外れて洗濯物が、飛ばされることがない、安全な装置の提供である。【解決手段】本体ＤにレバーＡをはめて、バネＣを本体Ｄの内側にセットする。次に、バネＣの先端部をレバーＡと本体Ｄに引掛けて、軸ＢをレバーＡ、本体Ｄ、バネＣの順に通して固定する。【選択図】  図２
2004329821.tif 000002
【特許請求の範囲】
【請求項１】
レバー（Ａ）軸（Ｂ）バネ（Ｃ）本体（Ｄ）の様に構成されたハンガー。
【請求項２】
請求項１の構成を使用して、軸（Ｂ）の所のレバー（Ａ）と本体（Ｄ）の端部を指でつかめる様に、構造を変えたハンガー及び物干し器。
【請求項３】
バネ（Ｃ）を軸（Ｂ）の下の位置に取付けて、物干し竿をはさみ込める様に構成されたハンガー。
【請求項４】
請求項１，３の様に構成された物干し器。
【発明の詳細な説明】
【０００１】
【発明の属する技術分野】
この発明は、風の強い日に洗濯物を干しても、物干し竿からズレたり、飛ばされたりする事無く、安心して洗濯物を干す事の出来る装置に関する物である。
【０００２】
【従来の技術】
従来のハンガーは、竿部に引掛け出来る様に、先端をＲに曲げただけの物で、簡単に位置ズレしてしまいます。
物干し竿の直径より小さめのＲ形状を作り、はさんで吊り下げるハンガーがありますが、これも、物干し竿の直径が少し違うと、位置ズレして重なり合い、乾きの悪い物が出来てしまいます。
他に、物干し竿の下からはさみ込む装置付のハンガーがありますが、これは、開閉部の下を握って取付ける物で、握ると指を挟んだりして、取扱いに不便さがあり、構造的にも複雑な作りになっています。
【０００３】
【発明を解決しょうとする課題】
１、従来の洗濯物を干すハンガーは、物干し竿に引掛けるだけの物で、少しの風でも位置ズレしてしまいます。
２、小さめのＲ形状を作り、挟んで吊り下げる物も、竿の直径が少し違うだけで位置がズレたり、竿から外れ難くなったりします。
３、下から竿を挟み込むハンガーは、握ると指を挟んだりして、取扱いが不便で構造的にも複雑な作りになっています。
この様に、洗濯物を干す時に使用するハンガーの不便さを、解決する為に発明された物です。
【０００４】
【課題を解決するために手段】
この発明の構成を説明すると、
１、  本体（Ｄ）にレバー（Ａ）をはめて、バネ（Ｃ）を本体（Ｄ）の内側にセットする。
２、  バネ（Ｃ）の先端部をレバー（Ａ）と本体（Ｄ）に引掛けて、軸（Ｂ）をレバー（Ａ）、本体（Ｄ）、バネ（Ｃ）の順に通して固定する。
以上の様に装置する。
【０００５】
【発明の実施の形態】
この発明の実施の形態を述べると、
１、  本体（Ｄ）を持ち、レバー（Ａ）と本体（Ｄ）のＲ部の所に物干し竿を引掛けると、レバー（Ａ）が開いて物干し竿にはさみ込まれる。
２、  レバー（Ａ）と本体（Ｄ）のＲ部で、物干し竿をクランプした状態になるので、風のある日にも位置ズレしない。
３、  本体（Ｄ）を斜めに持ち上げると、レバー（Ａ）が開いて物干し竿から外れる。
【０００６】
他にこの様な方法も出来る。
レバー（Ａ）の部分と本体（Ｄ）の部分を樹脂や鋼線等で一体に作り、レバー（Ａ）部の所にベルト、クサリ、レバー等を取付けて、物干し竿を締め付け出来る様に構成された、ハンガー又は、物干し器が出来る。
【０００７】
【発明の効果】
クランプ付ハンガーを使用して洗濯物を干すと、風の強い日でもハンガーの位置がズレたり、飛ばされたりしなくなります。その為、洗濯物の乾きの悪い物が出来ないので、安心して洗濯物を干す事が出来ます。
【図面の簡単な説明】
【図１】平面図
【図２】側面図
【図３】
【図２】の左側面図
【符号の説明】
（Ａ）はレバー
（Ｂ）は軸
（Ｃ）はバネ
（Ｄ）は本体
【図１】
2004329821.tif 000003
【図２】
2004329821.tif 000004
【図３】
2004329821.tif 000005